(57)【特許請求の範囲】
【請求項１】
取付部材に固定され可動部を有するスイッチと、このスイッチの前方側に配置され開口穴を有するケースと、前記開口穴を塞ぐように前記ケースに装着され柔軟性を有する押釦とを備え、前記押釦は前記開口穴に嵌る周壁部と前記開口穴周縁の前記ケース裏面に係止する係止部と前記開口穴周縁の前記ケース表面を被うフランジ部とからなる装着部と、押圧操作部と、この押圧操作部と前記装着部とを繋ぐ撓み部と、前記押圧操作部の押圧により前記可動部を可動させる軸部とを有し、前記押圧操作部および前記フランジ部は非円形からなり、前記開口穴および前記周壁部は円形からなることを特徴とするスイッチ操作装置。
【請求項２】
前記フランジ部の外周に沿うリブを前記ケースに設けたことを特徴とする請求項１に記載のスイッチ操作装置。
【請求項３】
前記リブに切り欠き部を設けたことを特徴とする請求項２に記載のスイッチ操作装置。
【発明の詳細な説明】
【技術分野】
【０００１】
本発明は、例えば自動二輪車用の計器に備えられた表示切換用などのスイッチをケースの外部から押圧操作するスイッチ操作装置に関するものである。
【背景技術】
【０００２】
ケースなどの内部に収納されたスイッチ類を外部から押圧操作可能に構成したスイッチ操作装置は、押圧操作部から水や埃が内部に入ってスイッチの操作や作動に悪影響を及ぼすのを防ぐようになっており、例えば特許文献１がある。特許文献１に記載されているスイッチ操作装置の防水性は、透視板６（ケース）に設けられた開口穴７周縁に断面が略コ字状のシール部材８（押釦）の装着部１０を嵌め込むことによって成されている。特許文献１に於けるシール部材８の筒部９の外形は円形となっており、この筒部９の外形に合わせて透視板６の開口穴７と断面略コ字状の装着部１０も円形となっている。
【特許文献１】特開２００４−１５２５１０号公報
【発明の開示】
【発明が解決しようとする課題】
【０００３】
上述の様なスイッチ操作装置に於いて、筒部の外形が例えば四角形の押釦が必要となった場合、開口穴および装着部の形状も四角形となる。しかしながら、図４に示す様にケースａに設けられた四角形の開口穴ｂに四角形の装着部を嵌め込もうとした際、押釦が僅かに回転（位置ずれ）してしまい、装着部の周壁部ｃ（開口穴ｂの切り口ｄに沿う壁部分）が開口穴ｂの切り口ｄに沿わないことがある。しかし、押釦が合成ゴム製のため、装着部が変形した（位置ずれした）状態で開口穴ｂの周縁に嵌め込まれてしまう。すると、周壁部ｃの周りに隙間ｅが生じ、防水性が低下してしまう虞がある。
【０００４】
本発明はこの様な点に鑑みなされたもので、ケースに装着される押釦に位置ずれが生じにくく、防水性が損なわれることのないスイッチ操作装置を提供することを目的とする。
【課題を解決するための手段】
【０００５】
本発明は前記目的を達成するため、取付部材に固定され可動部を有するスイッチと、このスイッチの前方側に配置され開口穴を有するケースと、前記開口穴を塞ぐように前記ケースに装着され柔軟性を有する押釦とを備え、前記押釦は前記開口穴に嵌る周壁部と前記開口穴周縁の前記ケース裏面に係止する係止部と前記開口穴周縁の前記ケース表面を被うフランジ部とからなる装着部と、押圧操作部と、この押圧操作部と前記装着部とを繋ぐ撓み部と、前記押圧操作部の押圧により前記可動部を可動させる軸部とを有し、前記押圧操作部および前記フランジ部は非円形からなり、前記開口穴および前記周壁部は円形からなるものである。
【０００６】
また、前記フランジ部の外周に沿うリブを前記ケースに設けたものである。
【０００７】
また、前記リブに切り欠き部を設けたものである。
【発明の効果】
【０００８】
ケースに装着される押釦に位置ずれが生じにくく、防水性が損なわれることのないスイッチ操作装置を得ることができる。
【発明を実施するための最良の形態】
【０００９】
図１は、本発明の実施形態を示すスイッチ操作装置の部分正面図であり、図２はスイッチ操作装置の部分断面図（図１に於けるＡ−Ａ断面）である。図３はスイッチ操作装置に用いられる押釦の裏面図である。図４は従来例を示し、ケースの開口穴に押釦の周壁部が嵌め込まれた状態の部分平面図である。
【００１０】
スイッチ操作装置は、取付部材としての硬質な回路基板１上に半田付固定され可動部２を有するスイッチ３と、このスイッチ３の前方側に配置され開口穴４を有するケース５と、開口穴４を塞ぐように開口穴４周縁のケース５に装着された押釦６を備えている。
【００１１】
ケース５は、ＡＢＳ或いはポリカーボネートなどの例えば黒色の合成樹脂からなり、スイッチ３に対応した箇所に円形の開口穴４が設けられている。また、ケース５の前面側（押釦６の操作者側）には、開口穴４の周縁に円形の環状突出部７と、押釦６の外周に沿うリブ８がそれぞれ設けてある。
【００１２】
押釦６は、柔軟性を有する例えば黒色の合成ゴムからなり、開口穴４の周縁に装着される装着部９と、押圧操作部１０と、この押圧操作部１０と装着部９とを繋ぐ厚さの薄い撓み部１１と、押圧操作部１０の押圧によりスイッチ３の可動部２を可動させる軸部１２とを有している。
【００１３】
装着部９は、開口穴４に嵌る周壁部１３と、開口穴４周縁のケース５裏面に係止する係止部１４と、開口穴４周縁箇所のケース５表面を被うフランジ部１５とからなる。本実施形態に於いては、フランジ部１５および押圧操作部１０の外観形状（外形）はデザイン的要求から図１に示す様に三角形、即ち非円形となっている。また、ケース５の開口穴４周縁に環状突出部７が設けてあるため、フランジ部１５は環状突出部７を被うようになっている。なお、フランジ部１５の外形は三角形であるが、周壁部１３と係止部１４は開口穴４の形状に合わせた形状、即ち円形となっている。前述したリブ８はフランジ部１５の外周に沿うように設けてある。また、リブ８には切り欠き部１６が１箇所設けてある。
【００１４】
ケース５の開口穴４周縁への押釦６の装着は次の様にして行う。係止部１４の下端側（スイッチ３側）を開口穴４内に挿入しようとすると、係止部１４および周壁部１３が中心側（軸部１２側）に撓みながら挿入されて、周壁部１３が開口穴４に嵌り込み、係止部１４が開口穴４周縁箇所のケース５裏面に係止される。フランジ部１５は上述した様に環状突出部７を被うように配置されて、押釦６がケース５に装着される。この際、押釦６が僅かに回転したとしてもケース５の開口穴４と押釦６の周壁部１３とが円形となっているために、開口穴４に対して周壁部１３の位置ずれが生じにくい。即ち、開口穴４の切り口と周壁部１３との間に隙間が発生しにくく、埃や水などの浸入が防げる。
【００１５】
スイッチ３の操作は、押釦６の押圧操作部１０を下方（スイッチ３側）に押すことによって行われる。押圧操作部１０を押すと撓み部１１が撓みながら軸部１２が下方に移動する。それにより、軸部１２がスイッチ３の可動部２を押圧し、図示しないが、スイッチ操作装置が備えられた例えば速度計の表示切替（例えば、液晶表示されるトータル積算値とトリップ積算値の切り替え、あるいはトリップ積算値のゼロセット）が行われる。押すことを止めると軸部１２が元の位置に戻るようになっている。
【００１６】
この様に、防水性が必要なスイッチ操作装置に於いて、押釦６の押圧操作部１０およびフランジ部１５の形状が非円形であっても、ケース５の開口穴４および押釦６の周壁部１３の形状を円形とすることによって、押釦６をケース５に装着する際に押釦６が僅かに回転したとしても、周壁部１３の位置ずれが生じにくく、ケース５内に水が浸入するのを防ぐことができる。
【００１７】
また、開口穴４の周縁に環状突出部７を設けることによって、ケース５内に水がより入りにくくなる。また、フランジ部１５の外周に沿うようにリブ８を設けることによって、更に防水性を高めることができる。なお、水の浸入の虞が無いようであれば環状突出部７やリブ８は無くとも良い。また、リブ８に切り欠き部１６を設けることによって、フランジ部１５とリブ８との間に水が入った（溜まろうと）としても切り欠き部１６から水が抜け、ケース５内に浸透する虞が無い。
【００１８】
なお、押圧操作部１０およびフランジ部１５の形状は非円形であるなら、三角形に限定するものではない。また、リブ８に設ける切り欠き部１６は複数箇所であっても良い。
【図面の簡単な説明】
【００１９】
【図１】本発明の実施形態を示すスイッチ操作装置の部分正面図。
【図２】同スイッチ操作装置の部分断面図（図１に於けるＡ−Ａ断面）。
【図３】同スイッチ操作装置に用いられる押釦の裏面図。
【図４】従来例を示し、ケースに押釦の周壁部が嵌め込まれた状態の部分平面図。
【符号の説明】
【００２０】
１  回路基板（取付部材）
２  可動部
３  スイッチ
４  開口穴
５  ケース
６  押釦
８  リブ
９  装着部
１０  押圧操作部
１１  撓み部
１２  軸部
１３  周壁部
１４  係止部
１５  フランジ部
【図１】
0004911311.tif 000002
【図２】
0004911311.tif 000003
【図３】
0004911311.tif 000004
【図４】
0004911311.tif 000005